【手続補正書】
【提出日】平成19年5月24日(2007.5.24)
【手続補正１】
【補正対象書類名】明細書
【補正対象項目名】特許請求の範囲
【補正方法】変更
【補正の内容】
【特許請求の範囲】
【請求項１】  会員遊技者を特定可能な会員遊技者特定情報及び遊技に使用可能な遊技用有価価値の大きさを特定可能な遊技用有価価値情報とが少なくとも記録された会員用記録媒体を受付けて、該記録情報から特定される前記遊技用有価価値の大きさを遊技に使用させるための遊技使用処理を行う記録媒体処理装置における前記会員用記録媒体の利用状況並びに遊技用有価価値の管理を行うとともに管理情報を送信する、各遊技場毎に設置された場内管理装置と、
遊技場外に設けられ、各遊技場の前記場内管理装置と通信可能に接続され、前記各遊技場の場内管理装置から送信された管理情報に基づいて、前記会員用記録媒体に対応する遊技用有価価値に関する情報を管理するとともに、前記管理情報に含まれる前記会員用記録媒体の利用状況を示す利用状況情報を送信する場外集中管理装置と、
前記場外集中管理装置と通信可能に接続され、前記場外集中管理装置から送信された前記利用状況情報に基づいて、会員遊技者毎に少なくとも会員用記録媒体の利用状況に応じて所定のサービスを提供するために会員遊技者毎に付与されるポイント数が、該会員遊技者の登録遊技場を特定可能に登録された会員データベースを有する場外集中会員管理装置と、
から成ることを特徴とする会員用記録媒体利用ポイント管理システム。
【請求項２】  前記場外集中管理装置と場外集中会員管理装置との間には、該場外集中管理装置へのアクセスを規制する通信規制手段を有する請求項１に記載の会員用記録媒体利用ポイント管理システム。
【請求項３】  前記場外集中会員管理装置はファイル転送プロトコル（ＦＴＰ）の機能を有するとともに、前記場外集中管理装置は前記ファイル転送プロトコル（ＦＴＰ）に対応するＦＴＰファイルを生成する機能を有し、該場外集中管理装置は前記利用状況情報の送信を前記ＦＴＰファイルとして場外集中会員管理装置に送信する請求項１または２に記載の会員用記録媒体利用ポイント管理システム。
【請求項４】  前記場内管理装置は、前記場外集中管理装置に接続され、前記会員用記録媒体の遊技用有価価値に関する情報を管理する遊技用有価価値管理装置と、
該遊技用有価価値管理装置に接続され、前記会員用記録媒体の利用状況の管理を行う場内会員管理装置と、
から構成され、該場内会員管理装置は、前記遊技用有価価値管理装置に対して前記会員用記録媒体の利用に関する情報を送信し、前記遊技用有価価値管理装置は、該送信された会員用記録媒体の利用に関する情報と、管理している会員用記録媒体の遊技用有価価値に関する情報とを管理情報として前記場外集中管理装置に送信する請求項１〜３のいずれかに記載の会員用記録媒体利用ポイント管理システム。
【請求項５】  前記場外集中会員管理装置は、前記場外集中管理装置から送信される利用状況情報に基づいて、前記ポイント数の付与を行う請求項４に記載の会員用記録媒体利用ポイント管理システム。
【請求項６】  前記場外集中会員管理装置は、各遊技場から前記ポイント付与を行う付与条件を受け付けて、該受け付けた付与条件に基づいて前記ポイント数の付与を行う請求項５に記載の会員用記録媒体利用ポイント管理システム。
【請求項７】  前記場外集中会員管理装置は、前記会員遊技者を特定可能な会員遊技者特定情報を含むポイント照会要求を受け付けて、該受付けたポイント照会要求に対応するポイント数を、前記会員データベースから抽出し、該抽出したポイント数を前記ポイント照会要求の送信元に対して返信する請求項１〜６のいずれかに記載の会員用記録媒体利用ポイント管理システム。
【請求項８】  前記場外集中会員管理装置は、前記会員遊技者が所有するポイント数の範囲内で、該遊技者が提供を希望するサービスへのポイント還元要求を受付け、該受付けたポイント還元要求に対応するサービスの提供に必要なポイント数を該会員遊技者が所有するポイント数から減算更新する請求項１〜７のいずれかに記載の会員用記録媒体利用ポイント管理システム。
【請求項９】  会員遊技者の操作に応じて前記ポイント照会要求並びに前記ポイント還元要求を、前記場外集中会員管理装置に送信するための、遊技場内に設置される会員用端末を備える請求項７または８に記載の会員用記録媒体利用ポイント管理システム。
【請求項１０】  前記場外集中会員管理装置は、付与並びに使用されたポイント数を各遊技場毎に集計し、該集計情報を該当する遊技場に配信する請求項５〜９のいずれかに記載の会員用記録媒体利用ポイント管理システム。
【手続補正２】
【補正対象書類名】明細書
【補正対象項目名】０００７
【補正方法】変更
【補正の内容】
【０００７】
【課題を解決するための手段】
前記した問題を解決するために、本発明の会員用記録媒体利用ポイント管理システムは、会員遊技者を特定可能な会員遊技者特定情報及び遊技に使用可能な遊技用有価価値の大きさを特定可能な遊技用有価価値情報とが少なくとも記録された会員用記録媒体を受付けて、該記録情報から特定される前記遊技用有価価値の大きさを遊技に使用させるための遊技使用処理を行う記録媒体処理装置における前記会員用記録媒体の利用状況並びに遊技用有価価値の管理を行うとともに管理情報を送信する、各遊技場毎に設置された場内管理装置と、
遊技場外に設けられ、各遊技場の前記場内管理装置と通信可能に接続され、前記各遊技場の場内管理装置から送信された管理情報に基づいて、前記会員用記録媒体に対応する遊技用有価価値に関する情報を管理するとともに、前記管理情報に含まれる前記会員用記録媒体の利用状況を示す利用状況情報を送信する場外集中管理装置と、
前記場外集中管理装置と通信可能に接続され、前記場外集中管理装置から送信された前記利用状況情報に基づいて、会員遊技者毎に少なくとも会員用記録媒体の利用状況に応じて所定のサービスを提供するために会員遊技者毎に付与されるポイント数が、該会員遊技者の登録遊技場を特定可能に登録された会員データベースを有する場外集中会員管理装置と、
から成ることを特徴としている。
この特徴によれば、前記場外集中管理装置が収集した会員用記録媒体の利用に関する利用情報が、前記場外集中会員管理装置へ送信されるようになるため、前記会員用記録媒体の利用に関する利用情報の収集のために個別に多数の通信回線等を設ける必要がなく、システム自体を簡素化でき、結果的に前記場外集中会員管理装置にてポイント数の管理を行う場合においても、これらポイント数の管理コストを低く押さえることができる。
【手続補正３】
【補正対象書類名】明細書
【補正対象項目名】００１０
【補正方法】変更
【補正の内容】
【００１０】
本発明の会員用記録媒体利用ポイント管理システムは、前記場内管理装置は、前記場外集中管理装置に接続され、前記会員用記録媒体の遊技用有価価値に関する情報を管理する遊技用有価価値管理装置と、
該遊技用有価価値管理装置に接続され、前記会員用記録媒体の利用状況の管理を行う場内会員管理装置と、
から構成され、該場内会員管理装置は、前記遊技用有価価値管理装置に対して前記会員用記録媒体の利用に関する情報を送信し、前記遊技用有価価値管理装置は、該送信された会員用記録媒体の利用に関する情報と、管理している会員用記録媒体の遊技用有価価値に関する情報とを管理情報として前記場外集中管理装置に送信することが好ましい。
このようにすれば、前記場内管理装置を前記遊技用有価価値管理装置と場内会員管理装置とで構成することで、管理負荷を分散することができシステムの安定性を向上できる。
【手続補正４】
【補正対象書類名】明細書
【補正対象項目名】０２０３
【補正方法】変更
【補正の内容】
【０２０３】
前記実施例における各要素は、本発明に対して以下のように対応している。
本発明の請求項１は、会員遊技者を特定可能な会員遊技者特定情報（会員ＩＤ）及び遊技に使用可能な遊技用有価価値（度数）の大きさを特定可能な遊技用有価価値情報（プリペイドＩＤ）とが少なくとも記録された会員用記録媒体（会員カード３７）を受付けて、該記録情報から特定される前記遊技用有価価値（度数）の大きさを遊技に使用させるための遊技使用処理（玉貸処理）を行う記録媒体処理装置（カードユニット３）における前記会員用記録媒体（会員カード３７）の利用状況並びに並びに遊技用有価価値の管理を行うとともに管理情報を送信する、各遊技場毎に設置された場内管理装置（システムコントローラ１００、会員管理コンピュータ１２０）と、遊技場外に設けられ、各遊技場の前記場内管理装置（システムコントローラ１００）と通信可能に接続され、前記各遊技場の場内管理装置（システムコントローラ１００）から送信された管理情報に基づいて、前記会員用記録媒体（会員カード３７）に対応する遊技用有価価値（度数）に関する情報を管理するとともに、前記管理情報に含まれる前記会員用記録媒体（会員カード３７）の利用状況を示す利用状況情報（ＦＴＰファイル）を送信する場外集中管理装置（管理サーバ１２、中継サーバ４０）と、前記場外集中管理装置（中継サーバ４０）と通信可能に接続され、前記場外集中管理装置（中継サーバ４０）から送信された前記利用状況情報（ＦＴＰファイル）に基づいて、会員遊技者毎に少なくとも会員用記録媒体（会員カード３７）の利用状況に応じて所定のサービスを提供するために会員遊技者毎に付与されるポイント数が、該会員遊技者の登録遊技場を特定可能に登録された会員データベース（ポイント管理データベース）を有する場外集中会員管理装置（ＦＴＰサーバ５０、ポイント管理サーバ５２）と、から成る。
【手続補正５】
【補正対象書類名】明細書
【補正対象項目名】０２０６
【補正方法】変更
【補正の内容】
【０２０６】
本発明の請求項４は、前記場内管理装置（システムコントローラ１００、会員管理コンピュータ１２０）は、前記場外集中管理装置（管理サーバ１２）に接続され、前記会員用記録媒体（会員カード３７）の遊技用有価価値（度数）に関する情報を管理する遊技用有価価値管理装置（システムコントローラ１００）と、該遊技用有価価値管理装置（システムコントローラ１００）に接続され、前記会員用記録媒体（会員カード３７）の利用状況の管理を行う場内会員管理装置（会員管理コンピュータ１２０）と、から構成され、該場内会員管理装置（システムコントローラ１００、会員管理コンピュータ１２０）は、前記遊技用有価価値管理装置（システムコントローラ１００）に対して前記会員用記録媒体（会員カード３７）の利用に関する情報を送信し、前記遊技用有価価値管理装置（システムコントローラ１００）は、該送信された会員用記録媒体の利用に関する情報と、管理している会員用記録媒体（会員カード３７）の遊技用有価価値に関する情報とを管理情報として前記場外集中管理装置（管理サーバ１２）に送信する。
【手続補正６】
【補正対象書類名】明細書
【補正対象項目名】０２４５
【補正方法】変更
【補正の内容】
【０２４５】
また、前記実施例においては、カード会社とポイント管理会社とを別々の管理機関としているが、本発明はこれに限定されるものではなく、同一の管理機関により本システムを構築するようにしても良く、例えば、安全対策上の観点からカード管理部門とポイント管理部門とを別々の場所に設けて、前記実施例と同様の方法で情報の授受を行うように構成しても良く、このようにすることで、従来のカード管理データ収集用の通信回線を流用して、ポイント情報の収集を行うことができるばかりか、それぞれのネットワークの独立性を担保し、安全性を高めることもできる。
【発明の効果】
本発明は次の効果を奏する。
（ａ）請求項１の発明によれば、前記場外集中管理装置が収集した会員用記録媒体の利用に関する利用情報が、前記場外集中会員管理装置へ送信されるようになるため、前記会員用記録媒体の利用に関する利用情報の収集のために個別に多数の通信回線等を設ける必要がなく、システム自体を簡素化でき、結果的に前記場外集中会員管理装置にてポイント数の管理を行う場合においても、これらポイント数の管理コストを低く押さえることができる。